(57)【要約】【課題】  アルミ箔積層シート等をシート部材として口筒部に装着し、注出筒部と、該注出筒部に破断容易なブリッジを介して連設した除去頭部によって口筒部を形成した容器の口筒部であって、除去頭部を切離してブリッジの破断とともにシート部材を切断し、注出筒を簡単に開封できるようにした容器を提供すること。【解決手段】  容器の口筒部として、注出筒部と、該注出筒部にブリッジにより連結された除去頭部とからなる口筒部を具えた容器であって、除去頭部の内周面とブリッジの内周面にシート部材が装着され、シート部材は、インサート成形によって注出筒部とブリッジ、除去頭部と一体化されていることを特徴とする。【選択図】  図１
2006240623.tif 000002
【特許請求の範囲】
【請求項１】
注出筒部と、該注出筒部にブリッジにより連結された除去頭部とからなる口筒部を具えた容器であって、
除去頭部の内周面とブリッジの内周面にシート部材が装着され、
シート部材は、インサート成形によって注出筒部とブリッジ、除去頭部と一体化されていることを特徴とする容器の口筒部。
【請求項２】
注出筒部と、該注出筒部にブリッジを介して連設された除去頭部とからなる口筒部を具えた容器であって、
除去頭部の外周面とブリッジの外周面にシート部材が装着され、
シート部材は、インサート成形によって注出筒部とブリッジ、除去頭部と一体化されていることを特徴とする容器の口筒部。
【請求項３】
シート部材が、アルミ積層樹脂フィルム、または合成樹脂フィルムによって成形されていることを特徴とする請求項１〜２記載の容器の口筒部。
【発明の詳細な説明】
【技術分野】
【０００１】
本発明は、簡単な操作で開封できるようにした容器の口筒部に関するものである。
【背景技術】
【０００２】
口筒部と、該口筒部の閉塞部材を一体化したチューブ容器は、従来より知られている（例えば特許文献１、特許文献２参照）。
上記特許文献１記載のチューブ容器は、シール材を容器のヘッドピースの形に成形し、該成形品をヘッドピース成形用金型にインサートし、ポリプロピレン樹脂を射出成形するようにして、シール材を密着したヘッドピースを成形してチューブ容器としており、容器の口部に、頂壁部に開封用突起を設けたキャップを被蓋している。
【０００３】
チューブ容器の使用にあたって、キャップを開蓋して、開封用突起で口部のシール材を開封して注出口を形成するようにしており、容器から取外したキャップを反転させ、突起を突き刺すようにしているので、注出口の形成が簡単でないという問題があった。
また、使用中に、開封用突起に触れて怪我をしないように、キャップの内周壁を高くしなければならないという構造的な問題があった。
【０００４】
上記特許文献２記載のチューブ容器は、ヘッドピース（ネック部）と、倒立状態としたキャップとを薄肉架橋部を介して一体成形し、チューブ容器を成形している。
使用にあたっては、薄肉架橋部をちぎって蓋体をチューブ容器から分離して、注出口を形成するようにしている。
しかしながら、薄肉架橋部は、ヘッドピースと同じ樹脂を用い、全周に成形されるため、樹脂の種類、構造によっては、蓋体の分離にあたって、薄肉架橋部が簡単にちぎれない場合があった。
【特許文献１】特開２００２−２７３９号公報
【特許文献２】実開平７−２６３５３号公報
【発明の開示】
【発明が解決しようとする課題】
【０００５】
本発明は、上記の問題点を解決することを課題とし、アルミ箔積層シート等をシート部材として口筒部に装着し、注出筒部と、該注出筒部に破断容易なブリッジを介して連設した除去頭部によって口筒部を形成した容器の口筒部であって、除去頭部を切離してブリッジの破断とともにシート部材を切断し、注出筒を簡単に開封できるようにした容器を提供することを目的とする。
【課題を解決するための手段】
【０００６】
本発明は、上記の課題を解決するため、容器の口筒部として、注出筒部と、該注出筒部にブリッジにより連結された除去頭部とからなる口筒部を具えた容器であって、除去頭部の内周面とブリッジの内周面にシート部材が装着され、シート部材は、インサート成形によって注出筒部とブリッジ、除去頭部と一体化されていることを特徴とする構成を採用する。
【０００７】
容器の口筒部の別実施例として、注出筒部と、該注出筒部にブリッジを介して連設された除去頭部とからなる口筒部を具えた容器であって、除去頭部の外周面とブリッジのの外周面にシート部材が装着され、シート部材は、インサート成形によって注出筒部とブリッジ、除去頭部と一体化されていることを特徴とする構成を採用する。
【０００８】
シート部材の実施例として、  シート部材が、アルミ積層樹脂フィルム、または合成樹脂フィルムによって成形されていることを特徴とする構成を採用する。
【発明の効果】
【０００９】
本発明の容器の口筒部は、口筒部に切断可能なシート部材をインサート成形によって装着し、口筒部は、注出筒部と、該注出筒部の所定の位置に複数のブリッジによって連設した除去頭部によって形成しているので、キャップを開いて、除去頭部に一定の力を加えることによって、ブリッジを破断するとともに、シート部材を切断して除去頭部を切離すことができ、注出筒を開封することが簡単にできるようになった。
【発明を実施するための最良の形態】
【００１０】
次に、本発明の容器の口筒部を具備したチューブ容器について、実施例をあげ、図面を参照して説明する。
【実施例１】
【００１１】
図１、２において、Ａはチューブ容器、Ｂはキャップである。
チューブ容器Ａは、口筒部１と肩部２とからなるヘッドピース３と、肩部２の下端周縁に連設された胴部４によって構成されている。
口筒部１は、注出口を形成する注出筒部５と、該注出筒部５に複数のブリッジ６によって連設された除去頭部７とから構成され、口筒部１と肩部２の内周面には、帽子状のシート部材８がインサート成形により融着されている。
【００１２】
注出筒部５の外周にはねじ９が螺設され、その下方に係止突条１０が突設されている。
内周の所定の位置に、段部１１が設けられ、その内周縁に沿って、前記ブリッジ６が立設されている。
除去頭部７は、下端をブリッジ６に接続した側周壁１２と、上壁１３とを具えており、側周壁１２の上半部分は、ローレット１４が刻設されている。
【００１３】
シート部材８は、アルミ積層フィルム、ＰＥＴ、ポリエチレンその他切断可能な薄肉シート１５によって帽子状に形成され、ヘッドピース３の射出成形時に、金型にインサートし、除去頭部７、ブリッジ６，注出筒部５、肩部２の内周面に融着されている。
【００１４】
胴部４は、押出し成形等の公知の方法によって円筒形に成形され、公知の方法によってヘッドピース３に接合され、チューブ容器が成形される。  
【００１５】
キャップＢは、頂壁２０と側周壁２１とを具えており、側周壁２１には、注出筒部５の上端に接合する段部２２が設けられ、その下方内周面には、注出筒部５上端部外周に係合する膨出突条２３が設けられ、該膨出突条２３の下方に注出筒部５のねじ９に螺合するねじ２４が設けられている。
側周壁２１の下端には、複数の連結片２５を介して、内周に、注出筒部５の係止突条１０に係合する膨出突条を設けた係止リング２６が接続され、ピルファープルーフ機構が形成されている。
【００１６】
チューブ容器の使用にあたって、キャップＢを開蓋し、口筒部１の除去頭部７を手で摘み、廻動もしくは折曲すると、ブリッジ６が破断されるとともに、除去頭部７と注出筒部５との間のシート部材８が切断される。
そのことによって、除去頭部７は、注出筒部５から切離され、注出孔が開口される。
その際、ブリッジ６は簡単に破断されるので、除去頭部７の切離しは極めて簡単に行われる。
また、除去頭部７の側周壁１２に、ローレット１４が刻設されているので、廻動操作は確実に行われる。
【００１７】
内容液の注出後には、注出筒部５にキャップＢを被嵌して、チューブ容器をしまっておくが、閉蓋時には、注出筒部５の上端にキャップＢの段部２２が接合し、上端外周面がキャップＢの膨出突条２３によって締着されるので、注出筒部５が密封され、外部から大気中の塵埃や、雑菌が入ることが阻止される。
【００１８】
上記実施例では、ブリッジ６を注出筒部５の段部１１の内周縁に沿って立設し、その上部に除去頭部７を連設したが、ブリッジ６は、注出筒部５と除去頭部７との間に架設してあればよく、注出筒部５上端から水平に延び、除去頭部７と接続するようにしたものでもよい。
【実施例２】
【００１９】
次に、シート部材の変形実施例について説明する。
前記実施例では、シート部材をヘッドピースの内周面の全域に装着するようにしたが、除去頭部をブリッジ、注出筒の上端部だけに装着させるようにしてもよい。
【００２０】
図３において、１ａは、注出筒部５ａと、該注出筒部５ａに複数のブリッジ６ａを介して連設された除去頭部７ａとからなる口筒部である。
注出筒部５ａの所定位置には、内方に突出する突条３０が設けられ、突条３０の上面内周縁に沿って前記ブリッジ６ａが立設され、その上端は、除去頭部７ａに接続している。
【００２１】
シート部材８ａは、帽子状に成形され、除去頭部７ａの内周面と、ブリッジ６ａの内面、および突条３０の内周面と下面３０ａにインサート成形により融着されている。
口筒部１ａのその他の部分の構造、およびキャップＢ、容器の肩部、胴部の構成は、第１実施例と同一であり、本実施例は、前記第１実施例と同一の作用効果を得ることができる。
【実施例３】
【００２２】
次に、シート部材を除去頭部の外周面に装着した実施例について説明する。
図４において、１ｂは口筒部で、注出筒部５ｂと、該注出筒部５ｂに複数のブリッジ６ｂを介して連設された除去頭部７ｂとからなっている。
注出筒部５ｂの所定位置には、内方に突出する突条３５が設けられ、突条３５の内周面３５ａには、ブリッジ６ｂが突設されている。
ブリッジ６ｂの上端は、除去頭部７ｂの下面３６に接続しており、ブリッジ６ｂの外周面、除去頭部７ｂの側周壁下部３７の外周面は面一となっている。
【００２３】
シート部材８ｂは、下端をフランジ３８とした円筒形に成形され、除去頭部７ｂの側周壁下部３７の外周面と、ブリッジ６ｂの外周面、突条３５の上面３５ｂにインサート成形により融着されている。
【００２４】
口筒部１ｂのその他の部分の構造、およびキャップＢ、容器の肩部、胴部の構成は、前記各実施例と同一であり、本実施例は、前記各実施例と同様の作用効果を得ることができる。
【００２５】
前記各実施例では、チューブ容器について説明したが、本発明の口筒部の構成は、ブローボトルやパウチ等種々な容器に応用することができる。
【産業上の利用可能性】
【００２６】
本発明は、口筒部に、アルミ積層シート等をシート部材として装着し、注出筒部と、該注出筒部に破断容易なブリッジを介して連設した除去頭部によって口筒部を形成し、口筒部の除去頭部を切離して、ブリッジの破断とともにシート部材を切断して、注出筒を簡単に開封できるようにしたので、チューブ容器、パウチなど、各種の容器に適用できる。
【図面の簡単な説明】
【００２７】
【図１】本発明の第１実施例のチューブ容器の一部断面立面図である。
【図２】チューブ容器のブリッジ部分を拡大した斜視図である。
【図３】チューブ容器の第２実施例の一部断面立面図である。
【図４】チューブ容器の第３実施例の一部断面立面図である。
【符号の説明】
【００２８】
Ａ          チューブ容器
Ｂ          キャップ
１、１ａ、１ｂ  口筒部
２          肩部
３          ヘッドピース
４          胴部
５、５ａ、５ｂ  注出筒部
６、６ａ、６ｂ  ブリッジ
７、７ａ、７ｂ  除去頭部
８、８ａ、８ｂ  シート部材
９、２４    ねじ
１０        係止突条
１１、２２  段部
１２        側周壁
１３        上壁
１４        ローレット
１５        薄肉シート
２０        頂壁
２１        側周壁
２３        膨出突条
２５        連結片
２６        係止リング
３０、３５  突条
３６        下面
３７        側周壁下部
３８        フランジ
【図１】
2006240623.tif 000003
【図２】
2006240623.tif 000004
【図３】
2006240623.tif 000005
【図４】
2006240623.tif 000006